(57)【要約】      （修正有）【課題】販売条件の入力を効率良く設定、記憶させるようにする。【解決手段】販売部と、商品及び／又は販売動作に関する販売条件に基づいて販売部に販売動作を実行させる販売制御部と、販売条件記憶部と、入力部と、販売条件を、複数の項目をそれぞれに有する複数の画面として項目の位置を示すカーソルとともに表示するための表示部とを備えた自動販売機であって、画面が切り替わる場合、切り替わる直前の画面とともに表示されていたカーソルの位置を示す情報を記憶するカーソル位置情報記憶部と、画面が複数の画面のうちの第1の画面から第２の画面へ切り替わった後に第１の画面へ再び切り替わる場合、第1の画面へ再び切り替わった直後、第２の画面へ切り替わる直前の第１の画面とともに表示されていたカーソルの位置を示す情報をカーソル位置情報記憶部から読み出し当該位置にカーソルを表示させる表示制御部とを備えてなる。【選択図】      図３
2006127139.tif 000002
【特許請求の範囲】
【請求項１】
商品の販売動作を実行する販売部と、
前記商品及び／又は前記販売動作に関する販売条件に基づいて前記販売部に前記販売動作を実行させる販売制御部と、
前記販売条件を記憶する販売条件記憶部と、
前記販売条件記憶部に記憶させる販売条件を入力するための入力部と、
前記入力部を通じて入力される販売条件を、複数の項目をそれぞれに有する複数の画面として前記項目の位置を示すカーソルとともに表示するための表示部と、
を備えた自動販売機であって、
前記表示部に表示されている画面が切り替わる場合、切り替わる直前の前記画面とともに表示されていたカーソルの位置を示す情報を記憶するカーソル位置情報記憶部と、
前記表示部に表示される画面が、前記複数の画面のうちの第1の前記画面から、前記複数の画面のうちの第２の前記画面へ切り替わった後に、前記第１の画面へ再び切り替わる場合、
前記第1の画面へ再び切り替わった直後、前記第２の画面へ切り替わる直前の第１の画面とともに表示されていたカーソルの位置を示す情報を前記カーソル位置情報記憶部から読み出し、当該位置に前記カーソルを表示させる、表示制御部と、
を備えたことを特徴とする自動販売機。
【請求項２】
前記入力部は、前記販売条件を入力する場合に第１の期間押下され、前記第１の画面から切り替わる場合及び前記第１の画面へ再び切り替わる場合に前記第１の期間よりも長い期間押下される所定のキーが設けられたキーボードを有する、ことを特徴とする請求項１に記載の自動販売機。
【請求項３】
商品の販売動作を実行する販売部と、
前記商品及び／又は前記販売動作に関する販売条件に基づいて前記販売部に前記販売動作を実行させる販売制御部と、
前記販売条件を記憶する販売条件記憶部と、
前記販売条件記憶部に記憶させる販売条件を入力するための入力部と、
前記入力部を通じて入力される販売条件を、複数の項目をそれぞれに有する複数の画面として前記項目の位置を示すカーソルとともに表示するための表示部と、
を備えた自動販売機の前記表示部を制御する表示制御方法であって、
前記表示部に表示される画面が、前記複数の画面のうちの第1の前記画面から、前記複数の画面のうちの第２の前記画面へ切り替わった後に、前記第１の画面へ再び切り替わる場合、
前記第1の画面から前記第２の画面へ切り替わる直前、当該第1の画面とともに表示されていたカーソルの位置を示す情報をカーソル位置情報記憶部に記憶させるカーソル位置情報記憶ステップと、
前記第1の画面へ再び切り替わった直後、前記第２の画面へ切り替わる直前の第１の画面とともに表示されていたカーソルの位置を示す情報を前記カーソル位置情報記憶部から読み出し、当該位置に前記カーソルを表示させるカーソル表示ステップと、
を備えたことを特徴とする表示制御方法。
【発明の詳細な説明】
【技術分野】
【０００１】
本発明は、商品の販売動作等を制御するための販売条件を記憶部に記憶させるための入力部及び表示部を備えた自動販売機、及び当該表示部を制御する表示制御方法に関する。
【背景技術】
【０００２】
例えば、商品の販売動作を実行する販売機構と、商品及び販売動作に関する販売条件に基づいて販売機構を制御する販売制御部と、販売条件を記憶する記憶部と、販売条件を入力及び表示するためのキーボード及びディスプレイを有するコントロールパネルと、を備えた自動販売機が知られている（例えば、特許文献１参照。）。例えば、コーヒー飲料を調理して販売するカップ式自動販売機の場合、レギュラーコーヒーの原料たるコーヒー豆の量や湯量といった商品に関する条件と、レギュラーコーヒーの抽出時間や蒸らし湯量といった販売動作に関する条件とを構成する項目の数は、コントロールパネルのディスプレイに表示可能な１つの画面には表示しきれない程度に多いことがある。このため、ディスプレイに表示可能な画面を、例えば、上記商品に関する条件を入力するための画面と、上記販売動作に関する条件を入力するための画面とに分割することがある。これらの販売条件は、例えばキーボードに設けられたテンキーの適宜な操作により入力される。
【０００３】
このように、複数の画面のそれぞれが有する複数の項目により販売条件が構成される場合、この複数の画面をディスプレイ上で切り替えて表示するために、上記のテンキーの操作により所定の項目番号が入力されていた。或いは、テンキーとは別に設けられた所定のキーの操作により各画面を特定する所定のデータが入力されていた。具体的には、例えばコントロールパネルを制御する制御部が有するメモリは、各項目を示す所定の項目番号を記憶しており、例えばルートマンが或る項目番号に相当するテンキーを押下した後にリターンキーを押下すると、該当の項目を含む画面が表示されるようになっている。或いは、例えば前述のメモリは、各画面上にあって当該各画面を特定する所定のメニュー釦のデータを記憶しており、例えばルートマンが矢印キーを適宜押下して画面上でカーソルを所定のメニュー釦へ移動させた後にリターンキーを押下すると、該当の画面が表示されるようになっている。何れの場合も、ディスプレイ上で画面が切り替わると、画面上の入力位置を示すカーソルは、切り替わった画面における例えば先頭項目の位置に表示されるようになっている。
【特許文献１】特開２００４−２５９０６７号公報
【発明の開示】
【発明が解決しようとする課題】
【０００４】
ところで、コントロールパネルを用いて販売条件を各項目として入力する場合、ディスプレイに表示される最初の画面の最初の項目から最後の画面の最後の項目まで順に入力するとは限らない。例えばコーヒー飲料に関する販売条件を入力する場合、商品に関する第１の画面においてコーヒー豆の量を入力した直後に、例えば販売動作に関する第２の画面において前記コーヒー豆の量に応じたレギュラーコーヒーの抽出時間を入力し、再度第１の画面においてコーヒー豆の量を入力し直すといった順序が望ましいことがある。また、第１の画面においてコーヒー豆の量を入力しているとき、第２の画面における抽出時間の入力ミスに気づいた場合、第１の画面における入力を中断して第２の画面へ戻ってミスを修正し、再度第１の画面に戻って入力を再開するといった順序が望ましいこともある。
【０００５】
しかしながら、この順序の入力操作を前述した自動販売機のコントロールパネルを用いて行う場合、第１の画面において例えば抽出時間の項目番号をテンキーで打ち込むか、或いは、例えば矢印キーでカーソルを画面切替用メニュー釦へ移動させるかしなければならない。また、このようにして第１の画面から第２の画面を経由して再度第１の画面へ切り替わった後も、例えば先頭項目の位置に表示されたカーソルを再度コーヒー豆の量の項目まで移動させなければならない。
【０００６】
前述した、テンキーで項目番号を打ち込むためには、例えばルートマンはこの項目番号を記憶している必要があるが、全ての項目についてその項目番号を記憶することは、項目数が多いほど困難である上に非効率である。また、前述した、カーソルを各項目から画面切替用メニュー釦まで、又は先頭項目から所定の各項目まで移動させる操作も手間がかかるため非効率である。よって、このような煩雑な入力操作は、例えば、ルートマンによる入力ミスを招いたり、ルートマンによる自動販売機の維持管理作業を停滞させたりする虞がある。
【０００７】
本発明は、かかる課題に鑑みてなされたものであり、その目的とするところは、商品及び／又は当該商品の販売動作に関する販売条件を入力部及び表示部を通じて記憶部に効率良く記憶させることが可能な自動販売機を提供することにある。
【課題を解決するための手段】
【０００８】
前記課題を解決するための発明は、商品の販売動作を実行する販売部と、前記商品及び／又は前記販売動作に関する販売条件に基づいて前記販売部に前記販売動作を実行させる販売制御部と、前記販売条件を記憶する販売条件記憶部と、前記販売条件記憶部に記憶させる販売条件を入力するための入力部と、前記入力部を通じて入力される販売条件を、複数の項目をそれぞれに有する複数の画面として前記項目の位置を示すカーソルとともに表示するための表示部と、を備えた自動販売機であって、前記表示部に表示されている画面が切り替わる場合、切り替わる直前の前記画面とともに表示されていたカーソルの位置を示す情報を記憶するカーソル位置情報記憶部と、前記表示部に表示される画面が、前記複数の画面のうちの第1の前記画面から、前記複数の画面のうちの第２の前記画面へ切り替わった後に、前記第１の画面へ再び切り替わる場合、前記第1の画面へ再び切り替わった直後、前記第２の画面へ切り替わる直前の第１の画面とともに表示されていたカーソルの位置を示す情報を前記カーソル位置情報記憶部から読み出し、当該位置に前記カーソルを表示させる、表示制御部と、を備えてなる。
【０００９】
また、かかる自動販売機において、前記入力部は、前記販売条件を入力する場合に第１の期間押下され、前記第１の画面から切り替わる場合及び前記第１の画面へ再び切り替わる場合に前記第１の期間よりも長い期間押下される所定のキーが設けられたキーボードを有する、ことが好ましい。
【００１０】
この自動販売機の表示制御部は、表示部に表示される画面が第1の画面から第２の画面へ切り替わった（切替Ｘ）後に当該第１の画面へ再び切り替わる（切替Ｙ）場合、切替Ｘの直前の第１の画面とともに表示されていたカーソルの位置を示す情報をカーソル位置情報記憶部に記憶させる。また、この自動販売機の表示制御部は、切替Ｙの直後、切替Ｘの直前の第１の画面とともに表示されていたカーソルの位置を示す情報をカーソル位置情報記憶部から読み出し、当該位置にカーソルを表示させる。また、前記切替Ｘは、販売条件を入力する場合には短押し（第1の期間押下）するキーのうちの所定のキーを長押し（第１の期間よりも長い期間押下）することにより実行可能であり、前記切替Ｙについても同様である。これにより、例えば、販売条件を入力するために短押ししていたキーを長押しするだけで画面が切り替えられ、切り替わった先の画面においては直近の過去に当該画面とともに表示されていたカーソルの位置に当該カーソルが再度表示される。よって、例えば、或る画面で或る項目の販売条件を入力した直後、他の画面で先の項目に関連する項目の販売条件を入力し、再度或る画面に戻り前記或る項目の位置にカーソルを戻す場合、例えばルートマンはこれらの項目に関して何かを記憶する必要なく効率良くキーボードを操作することによりこれを実現できる。ところで、これよりも複雑な画面の切り替え操作であっても、前述した切替Ｘ及び切替Ｙを１つの単位とする複数の操作の組み合わせであると考えられるため、一般に全ての画面について当該画面とともに直近の過去に表示されていたカーソルの位置が再現されることになる。従って、入力ミスや自動販売機の維持管理作業の停滞等が防止される。即ち、商品及び／又は当該商品の販売動作に関する販売条件を入力部及び表示部を通じて記憶部に効率良く記憶させることが可能な自動販売機を提供できたことになる。
【００１１】
また、前記課題を解決するための発明は、商品の販売動作を実行する販売部と、前記商品及び／又は前記販売動作に関する販売条件に基づいて前記販売部に前記販売動作を実行させる販売制御部と、前記販売条件を記憶する販売条件記憶部と、前記販売条件記憶部に記憶させる販売条件を入力するための入力部と、前記入力部を通じて入力される販売条件を、複数の項目をそれぞれに有する複数の画面として前記項目の位置を示すカーソルとともに表示するための表示部と、を備えた自動販売機の前記表示部を制御する表示制御方法であって、前記表示部に表示される画面が、前記複数の画面のうちの第1の前記画面から、前記複数の画面のうちの第２の前記画面へ切り替わった後に、前記第１の画面へ再び切り替わる場合、前記第1の画面から前記第２の画面へ切り替わる直前、当該第1の画面とともに表示されていたカーソルの位置を示す情報をカーソル位置情報記憶部に記憶させるカーソル位置情報記憶ステップと、前記第1の画面へ再び切り替わった直後、前記第２の画面へ切り替わる直前の第１の画面とともに表示されていたカーソルの位置を示す情報を前記カーソル位置情報記憶部から読み出し、当該位置に前記カーソルを表示させるカーソル表示ステップと、を備えてなる。
【発明の効果】
【００１２】
商品及び／又は当該商品の販売動作に関する販売条件を入力部及び表示部を通じて記憶部に効率良く記憶させることが可能な自動販売機を提供できる。
【発明を実施するための最良の形態】
【００１３】
＝＝＝自動販売機の構成＝＝＝
図１を参照しつつ、本実施の形態のカップ式自動販売機（自動販売機）の前面構成について説明する。同図は、本実施の形態のカップ式自動販売機の前面構成例を示す図である。前面扉２は、カップ式自動販売機の側端部に軸支されて開閉するものであり、後述する販売条件のデータの入力や販売機構（販売部）１００（図２）のメンテナンス等を行うときは解錠して開き、通常販売を行うときは施錠して閉じるものである。接客パネル４は、複数種類のカップ飲料に関する写真、絵柄、文字等が印刷された樹脂板である。硬貨投入口６は、利用者が硬貨を投入する箇所であり、投入硬貨は、自動販売機内部の硬貨識別装置に供給される。紙幣挿入口８は、利用者が紙幣を挿入する箇所であり、挿入紙幣は、自動販売機内部の紙幣識別装置に供給される。金額表示部１０は、投入硬貨金額や挿入紙幣金額等を表示するものである。値段ラベル１２は、接客パネル４上で、複数種類のカップ飲料の写真、絵柄、文字等に１対１に対応して配置されるものである。商品選択釦１４は、販売可ランプ及び売切ランプを内蔵し、接客パネル４上で、複数種類のカップ飲料の写真、絵柄、文字等に１対１に対応して配置されるものである。粉末原料増量釦１６、砂糖増量釦１８、クリーム増量釦２０、粉末原料減量釦２２、砂糖減量釦２４、クリーム減量釦２６は、１杯のカップ飲料（例えば、コーヒー、紅茶等）に対する混合割合の変更を希望するとき、商品選択釦１４の押下前に押下するものである。嗜好表示部２８は、１杯のカップ飲料に対し、事前に設定された混合割合を基準とする粉末原料、砂糖、クリームの増減の度合を表示するものである。利用者が、粉末原料増量釦１６、砂糖増量釦１８、クリーム増量釦２０、粉末原料減量釦２２、砂糖減量釦２４、クリーム減量釦２６を必要に応じて押下し、その後、販売可ランプが点灯している商品選択釦１４を押下すると、この商品選択釦１４に対応するカップ飲料が自動販売機内部の販売機構１００で調理され、商品取出口３０から販売される。返却レバー３６は、投入硬貨自体、投入硬貨又は挿入紙幣からカップ飲料購入金額を減額した釣銭を返却口３８に返却するためのものである。販売中ランプ４０は、販売機構１００がカップ飲料を調理して販売できる状態のときに点灯するものである。販売中止ランプ４２は、全カップ飲料に対応する売切ランプが点灯したとき、或いは、販売機構１００が故障したとき、点灯するものである。釣銭切ランプ４４は、硬貨識別装置内部に貯蔵される釣銭用の硬貨の合計金額が一定金額以下となったときに点灯するものである。
【００１４】
図２を参照しつつ、本実施の形態のカップ式自動販売機の販売機構１００について説明する。同図は、本実施の形態の販売機構１００におけるレギュラーコーヒーを販売する部分の概略構成例を示す模式図である。本実施の形態の販売機構１００は、主として、レギュラーコーヒー抽出装置１０１、湯タンク１０３、ミキシングボール１１７、砂糖容器１１９、及びクリーム容器１２１を備えて構成される。レギュラーコーヒー抽出装置１０１は、挽き豆と湯とを収容するための適宜なシリンダ、シリンダ内の空間を密閉するための適宜なピストン、挽き豆と湯とからレギュラーコーヒーを濾過するための適宜なフィルタ等を備えて構成される。また、このレギュラーコーヒー抽出装置１０１のシリンダの開口部には、適宜な容器に収容されたコーヒー豆を挽くためのコーヒーミル１１１が隣接するように設けられている。このような構成により、レギュラーコーヒー抽出装置１０１は、コーヒーミル１１１から供給される挽き豆と、湯タンク１０３からポンプ１１３及び電磁弁１１４を介して湯供給管１１５を通じて供給される湯とからレギュラーコーヒーを抽出し、電磁弁１０４を介してコーヒー供給管１０５に供給するものである。ミキシングボール１１７は、ブラックのレギュラーコーヒーに対して、砂糖容器１１９から供給される砂糖、及び／又は、クリーム容器１２１から供給される粉末状をなすクリームを混合するためのものである。尚、ミキシングボール１１７にて砂糖及び／又はクリームと混合され調理された砂糖及び／又はクリーム入りレギュラーコーヒーは、ミキシングボール１１７の下流に設けられた電磁弁１２３を介し供給管１２５を通じてカップ１２７に供給されるようになっている。また、ブラックのレギュラーコーヒーも、ミキシングボール１１７、電磁弁１２３、及び供給管１２５を経由してカップ１２７に供給されるようになっている。
【００１５】
図３のブロック図に例示されるように、主制御部２０１は、カップ式自動販売機の制御を統括するものであり、ＣＰＵ２０１ａ、ＲＯＭ２０１ｂ、ＲＡＭ２０１ｃ、周辺回路２０１ｄ等を有するものである。つまり、この主制御部２０１はマイクロコンピュータを中心として動作するものである。具体的には、ＣＰＵ２０１ａは、複数の従制御部を統括制御するためのプログラムが予め記憶されたＲＯＭ２０１ｂから読み出された当該プログラムの解読結果に基づいて当該統括制御を実行するものであり、ＲＡＭ２０１ｃは、ＣＰＵ２０１ａによる演算結果、複数の従制御部からの各種データ等の書き込み又は読み出しを行うものである。ハードウェア面では、ＣＰＵ２０１ａは、ＲＯＭ２０１ｂの実行アドレスを指定するプログラムカウンタ、ＲＯＭ２０１ｂからの読み出し内容を解読するインストラクションデコーダ、論理演算を行う演算論理ユニット、演算データを一時格納するアキュムレータ等を内蔵する。ＲＯＭ２０１ｂは、データを製造工程で焼き付け固定するマスクＲＯＭ、データを紫外線消去することにより当該データを繰り返し書き込み読み出しできるＥＰＲＯＭ（フラッシュＲＯＭを含む）等の不揮発性メモリである。また、ＲＡＭ２０１ｃは、ＳＲＡＭ等の揮発性メモリであり、バックアップ電源を用いてデータを保持する。
【００１６】
硬貨処理制御部２０２、紙幣処理制御部２０３、接客制御部２０４、販売制御部２０５、入出力制御部２０６は、主制御部２０１に対する複数の従制御部に相当し、ハードウェア面において、主制御部２０１と同様のＣＰＵ、ＲＯＭ、及びＲＡＭを内蔵する。硬貨挿入機構２０７は、釣銭切れを検出する釣銭切れセンサを備え、硬貨投入口６（図１）からの投入硬貨を受け取り、必要に応じて釣銭を返却口３８（図１）から返却するものである。硬貨処理制御部２０２は、硬貨投入機構２０７を制御し、投入硬貨の金種、正偽等の判別、金種別枚数の計算、金庫への余剰硬貨の収容、釣銭払い出し等を行なわせるものである。紙幣挿入機構２０８は、硬貨投入機構２０７と同様に、釣札切れを検出する釣札切れセンサを備え、紙幣挿入口８（図１）からの挿入紙幣を受け取り、必要に応じて釣札を紙幣挿入口８から返却するものである。紙幣処理制御部２０３は、紙幣挿入機構２０８を制御し、挿入紙幣の金種、正偽等の判別、金種別枚数の計算、釣札払い出し等を行なわせるものである。硬貨処理制御部２０２および紙幣処理制御部２０３は、硬貨投入および紙幣挿入が行なわれるその都度、処理動作を実行する。尚、硬貨処理制御部２０２および硬貨投入機構２０７は硬貨識別装置を構成し、紙幣処理制御部２０３および紙幣挿入機構２０８は紙幣識別装置を構成するが、硬貨識別装置および紙幣識別装置の代わりに、先払いカード又は後払いカードを挿入するカード読み取り装置（不図示）を設けることによって、カップ飲料を販売できるようにしてもよい。接客面２０９は、金額表示部１０（図１）、嗜好表示部２８（図１）、商品選択釦１４（図１）、増量釦１６、１８、２０（図１）、減量釦２２、２４、２６（図１）、販売中ランプ４０（図１）、販売中止ランプ４２（図１）、釣銭切れランプ４４（図１）から成るものである。接客制御部２０４は、接客面２０９を制御する。つまり、接客制御部２０４は、主制御部２０１からのカップ飲料販売に関する接客指示に従って、販売中ランプ４０、販売中止ランプ４２、釣銭切れランプ４４を点灯させたり、販売飲料別の販売可ランプ又は売り切れランプを点灯させたり、更には、複数の商品選択釦１４の何れが押下されたのかを検出し、このときの検出信号を主制御部２０１に送信したりする。
【００１７】
本実施の形態の販売制御部２０５は、図２に例示された販売機構１００を制御し、接客制御部２０４からの前記検出信号に応答した主制御部２０１からの販売指示に従って、利用者が所望するカップ飲料を調理して商品取出口３０（図１）で取り出し可能とするものであり、前述したように、ＣＰＵ２０５ａ、ＲＯＭ２０５ｂ、及びＲＡＭ２０５ｃを備えている。このＲＡＭ２０５ｃは、例えばレギュラーコーヒーの原料たるコーヒー豆の量や湯量等の商品に関する販売条件のデータと、例えばレギュラーコーヒーの抽出時間や蒸らし湯量等の販売動作に関する販売条件のデータとを記憶するものである。この販売条件のデータに基づいてＣＰＵ２０５ａが動作し、このＣＰＵ２０５ａに制御されて販売機構１００の例えばポンプ１１３、電磁弁１０４、１１４、１２３、前述したピストン（不図示）等が所定時期に所定時間だけ動作することによりレギュラーコーヒー等のカップ飲料を調理し販売するようになっている。尚、本実施の形態では、販売制御部２０５のＲＡＭ２０５ｃが販売条件記憶部に相当する。但し、これに限定されるものではなく、販売条件のデータは、主制御部２０１のＲＡＭ２０１ｃに記憶されていてもよい。この場合、ＲＡＭ２０１ｃが販売条件記憶部に相当する。或いは、販売条件のデータは、主制御部２０１のＲＡＭ２０１ｃ及び販売制御部２０５のＲＡＭ２０５ｃの両方に記憶されてもよい。この場合、ＲＡＭ２０１ｃ及びＲＡＭ２０５ｃの両方が販売条件記憶部に相当する。
【００１８】
図３のブロック図及び図４の模式図に例示されるように、本実施の形態のコントロールパネル２１１は、テンキー２１１０、頁・矢印キー２１１１、及び設定／順送りキー２１１２を備えて構成されるキーボード２１１ａと、このキーボード２１１ａの操作に関する内容を表示する有機ＥＬやＬＣＤ等のディスプレイ（表示部）２１１ｂとを前面に備えたものである。また、本実施の形態のコントロールパネル２１１は、入出力制御部２０６と有線で接続されるとともに、前面扉２（図１）の裏面に着脱自在に配設されて、販売制御部２０５のＲＡＭ２０５ｃに記憶される販売条件の設定、金額設定、メンテナンス等を行なう際に操作するものである。本実施の形態の入出力制御部２０６は、キーボード２１１ａからの入力情報を主制御部２０１に送信するものである。主制御部２０１は、この入力情報に基づいて、硬貨処理制御部２０２、紙幣処理制御部２０３、接客制御部２０４、及び販売制御部２０５に対して、それぞれの指示を行なう。
【００１９】
また、本実施の形態の入出力制御部２０６は、前述したように、ＣＰＵ２０６ａ、ＲＯＭ２０６ｂ、及びＲＡＭ２０６ｃを備えている。このＲＡＭ２０６ｃは、ディスプレイ２１１ｂにおいて画面とともに表示されるカーソルの位置を示す情報と当該画面を特定する情報とを対応付けてカーソル位置データ２０６０（カーソルの位置を示す情報）として記憶するものである。尚、本実施の形態では、ＲＡＭ２０６ｃがカーソル位置情報記憶部に相当する。また、本実施の形態では、ディスプレイ２１１ｂの動作を司る表示制御部は、入出力制御部２０６である。つまり、カーソル位置データ２０６０と、ＲＯＭ２０６ｂに記憶された適宜なプログラムとに基づいてＣＰＵ２０６ａが動作し、このＣＰＵ２０６ａに制御されてコントロールパネル２１１のディスプレイ２１１ｂが後述する動作をするようになっている。但し、以上に限定されるものではなく、主制御部２０１のＲＡＭ２０１ｃがカーソル位置情報記憶部に相当してもよいし、或いは、主制御部２０１のＲＡＭ２０１ｃ及び入出力制御部２０６のＲＡＭ２０６ｃの両方がカーソル位置情報記憶部に相当してもよい。また、ディスプレイ２１１ｂの動作を司る表示制御部は、主制御部２０１であってもよいし、或いは、主制御部２０１及び入出力制御部２０６の両方であってもよい。
【００２０】
尚、主制御部２０１と従制御部２０２乃至２０６との間の通信は、主制御部２０１が優先的な送信権を有するポーリング方式、又は、主制御部２０１及び従制御部２０２乃至２０６が対等な送信権を有するコンテンション方式の何れであってもよい。また、本実施の形態では、主制御部２０１、販売制御部２０５、入出力制御部２０６、及びコントロールパネル２１１が入力部に相当する。
【００２１】
＝＝＝表示制御部の機能＝＝＝
図５乃至図７を参照しつつ、前述した入出力制御部２０６（表示制御部）のより詳細な機能について説明する。図５は、例えばルートマンにより前述した販売条件のデータが入力される際に、コントロールパネル２１１のディスプレイ２１１ｂに表示される内容の一例を左側に示し、キーボード２１１ａの操作手順の一例を右側に示す模式図である。図６は、後述する３つの切り替え時における入力部、表示制御部、及び表示部の動作の手順を示すフローチャートである。図７は、後述する３つの切り替え時ごとのカーソル位置データ２０６０の構成例を示す模式図である。
【００２２】
＜＜＜画面「００」から画面「０１」へ＞＞＞
図５（ａ）に例示されるように、コントロールパネル２１１のディスプレイ２１１ｂには、ホットレギュラーコーヒーの商品に関する項目が表示されている。画面の先頭にあるプロンプト（「００）ホットレギュラ」）は、前述した適宜なプログラムの動作状態がホットレギュラーコーヒーの商品に関する条件を入力するモードであることを示している。ルートマンは、この画面を確認しつつ、テンキー２１１０及び頁・矢印キー２１１１を適宜押下することにより、例えば２種類のコーヒー豆の量（「マメ１（ｇ）」、「マメ２（ｇ）」）や湯量（「ユリョウ（ｍＬ）」）等を入力できる。尚、上記のモードを実現するためには、ルートマンは、前面扉２を開け、カップ式自動販売機の動作設定を行うべく、コントロールパネル２１１のキーボード２１１ａを通じて予め所定のデータを入力しているものとする。
【００２３】
本実施の形態では、ルートマンは、先ず、画面「００」においてコーヒー豆の量（「１０．０ｇ」）及び湯量（「１５５ｍＬ」）を入力し、この直後に、後述する画面「０１」において上記の量に応じた販売機構１００の販売動作の条件を入力しようとしているものとする。例えば、２つの画面にわたる項目間の相関が大きな場合には、このような手順で入力する方が、例えば画面「００」においてデータを全て入力した後に画面「０１」においてデータを入力する場合に比べて効率が良いことがある。そこで、ルートマンは、湯量の入力終了時の位置（５Ａ）にカーソルを表示させた状態で、所定のテンキー２１１０（例えば「１」）を例えばおよそ３秒間長押し（第１の期間よりも長い期間押下）する。尚、長押しの時間は３秒間に限定されるものではなく、販売条件のデータを入力する際のキーの押下時間よりも長ければいかなる時間であってもよい。要するに、同じキーの押下であっても、通常の押下時間の押下により発生する信号と、長押しにより発生する信号とが異なるようになっていればよい。
【００２４】
図６に例示されるように、入出力制御部２０６（表示制御部）は、前述した入力部におけるキーボード２１１ａでの長押し（Ｓ１００）により出力された、カーソルの位置を示す情報（５Ａ）と、テンキー２１１０の番号「１」に対応する画面を特定する情報「０１」とを受信する（Ｓ１０１）。
【００２５】
次に、入出力制御部２０６は、前述のカーソルの位置を示す情報（５Ａ）を、既に表示されている画面を特定する情報「００」と対応付けてカーソル位置データ２０６０に追加する（Ｓ１０２）。図７（ａ）に例示されるように、本実施の形態のカーソル位置データ２０６０は、時間の経過とともに同図の下から上へデータが追加される構成を有するものとする。同図によれば、ステップＳ１０２の時点で、画面を特定する情報である「００」と、カーソルの位置を示す情報５Ａとが対応付けられて追加されている。
【００２６】
また、入出力制御部２０６は、カーソル位置データ２０６０を参照し、画面を特定する情報「０１」に対応付けられ直近の過去に追加されたカーソルの位置を示す情報（例えば５Ｂ）を読み出し（Ｓ１０３）、画面「０１」をカーソル(位置は５Ｂ)とともに表示させるための信号をディスプレイ２１１ｂ（表示部）に送信する（Ｓ１０４）。図７（ａ）によれば、例えばステップＳ１０２に最も近く同図の下方にある情報「０１」に対応する情報（５Ｂ）が次のカーソルの位置を示す情報として読み出される。尚、本実施の形態では、ルートマンは、事前に画面「０１」をカーソルが５Ｂに位置する状態で他の画面に切り替え、その後画面「０１」は表示させていない状況にあったものとする。
【００２７】
入出力制御部２０６から画面「０１」をカーソル（位置は５Ｂ）とともに表示する旨の信号を受信したディスプレイ２１１ｂはこれを表示する（Ｓ１０５）。
【００２８】
＜＜＜画面「０１」から画面「０２」へ＞＞＞
図５（ｂ）及び図５（ｃ）に例示されるように、コントロールパネル２１１のディスプレイ２１１ｂには、長押しされたテンキー２１１０（「１」）に対応するプロンプト（「０１）ホットレギュラ」）を有する画面「０１」が表示される。この画面ではホットレギュラーコーヒーの販売動作に関する項目が表示され、前述した適宜なプログラムの動作状態は、ホットレギュラーコーヒーの販売動作に関する条件を入力するモードにある。
【００２９】
本実施の形態では、ルートマンは、画面「０１」において、販売機構１００によるコーヒー豆の蒸らし動作に使用される蒸らし湯量（「ムラシユ（ｍＬ）」）を入力し、この直後に、後述する画面「０２」において、販売機構１００によるレギュラーコーヒーの抽出時間（「チュウシツ（ｓ）」）を入力しようとしているものとする。例えば、２つの画面にわたる項目間の相関が大きな場合には、このような手順で入力する方が、ディスプレイ２１１ｂに表示された左の項目から右の項目への順序で入力する場合に比べて効率が良いことがある。そこで、ルートマンは、所定の頁・矢印キー２１１１及びテンキー２１１０（例えば「０」、「７」、「５」）を押下して蒸らし湯量（例えば７５ｍＬ）をディスプレイ２１１ｂに表示させる。次に、ルートマンは、蒸らし湯量の入力終了時の位置（５Ｃ）にカーソルを表示させた状態で、所定のテンキー２１１０（例えば「２」）を例えばおよそ３秒間長押しすることにより、表示されている蒸らし湯量を確定し入力する。
【００３０】
図６に例示されるように、入出力制御部２０６（表示制御部）は、前述した入力部におけるキーボード２１１ａでの長押し（Ｓ２００）により出力された、カーソルの位置を示す情報（５Ｃ）と、テンキー２１１０の番号「２」に対応する画面を特定する情報「０２」とを受信する（Ｓ２０１）。
【００３１】
次に、入出力制御部２０６は、前述のカーソルの位置を示す情報（５Ｃ）を、既に表示されている画面を特定する情報「０１」と対応付けてカーソル位置データ２０６０に追加する（Ｓ２０２）。図７（ｂ）によれば、ステップＳ２０２の時点で、画面を特定する情報である「０１」と、カーソルの位置を示す情報５Ｃとが対応付けられて追加されている。
【００３２】
また、入出力制御部２０６は、カーソル位置データ２０６０を参照し、画面を特定する情報「０２」に対応付けられ直近の過去に追加されたカーソルの位置を示す情報（例えば５Ｄ）を読み出し（Ｓ２０３）、画面「０２」をカーソル（位置は５Ｄ）とともに表示させるための信号をディスプレイ２１１ｂ（表示部）に送信する（Ｓ２０４）。図７（ｂ）によれば、例えばステップＳ２０２に最も近く同図の下方にある情報「０２」に対応する情報（５Ｄ）が次のカーソルの位置を示す情報として読み出される。尚、本実施の形態では、ルートマンは、事前に画面「０２」をカーソルが５Ｄに位置する状態で他の画面に切り替え、その後画面「０２」は表示させていない状況にあったものとする。
【００３３】
入出力制御部２０６から画面「０２」をカーソル（位置は５Ｄ）とともに表示する旨の信号を受信したディスプレイ２１１ｂはこれを表示する（Ｓ２０５）。
【００３４】
＜＜＜画面「０２」から画面「００」へ＞＞＞
図５（ｄ）及び図５（ｅ）に例示されるように、コントロールパネル２１１のディスプレイ２１１ｂには、長押しされたテンキー２１１０（「２」）に対応するプロンプト（「０２）ホットレギュラ」）を有する画面「０２」が表示される。この画面ではホットレギュラーコーヒーの販売動作に関するその他の項目が表示され、前述した適宜なプログラムの動作状態は、ホットレギュラーコーヒーの販売動作に関する条件を入力するモードにある。
【００３５】
本実施の形態では、ルートマンは、画面「０２」において、販売機構１００によるレギュラーコーヒーの抽出時間（「チュウシツ（ｓ）」）を入力し、この直後に、画面「００」において、コーヒー豆の量を変更したり砂糖やクリームの量等を入力したりしようとしているものとする。例えば、２つの画面にわたる項目間の相関が大きな場合には、このような手順で入力する方が、例えば商品に関する条件のデータを全て入力した後に販売動作に関する条件のデータを入力する場合に比べて効率が良いことがある。そこで、ルートマンは、所定のテンキー２１１０（例えば「１」、「３」、「０」）を押下して抽出時間（例えば１３．０ｓ）をディスプレイ２１１ｂに表示させる。次に、ルートマンは、抽出時間の入力終了時の位置（５Ｅ）にカーソルを表示させた状態で、所定のテンキー２１１０（例えば「０」）を例えばおよそ３秒間長押しし、表示されている抽出時間を確定し入力する。
【００３６】
図６に例示されるように、入出力制御部２０６（表示制御部）は、前述した入力部におけるキーボード２１１ａでの長押し（Ｓ３００）により出力された、カーソルの位置を示す情報（５Ｅ）と、テンキー２１１０の番号「０」に対応する画面を特定する情報「００」とを受信する（Ｓ３０１）。
【００３７】
次に、入出力制御部２０６は、前述のカーソルの位置を示す情報（５Ｅ）を、既に表示されている画面を特定する情報「０２」と対応付けてカーソル位置データ２０６０に追加する（Ｓ３０２）。図７（ｃ）によれば、ステップＳ３０２の時点で、画面を特定する情報である「０２」と、カーソルの位置を示す情報５Ｅとが対応付けられて追加されている。
【００３８】
また、入出力制御部２０６は、カーソル位置データ２０６０を参照し、画面を特定する情報「００」に対応付けられ直近の過去に追加されたカーソルの位置を示す情報（５Ａ）を読み出し（Ｓ３０３）、画面「００」をカーソル（位置は５Ａ）とともに表示させるための信号をディスプレイ２１１ｂ（表示部）に送信する（Ｓ３０４）。ところで、図７（ａ）及び図７（ｂ）を併せて参照すれば、例えばステップＳ３０２に最も近く同図の下方にある情報「００」に対応する情報は、ステップＳ１０２の時点で追加された５Ａであることがわかる。
【００３９】
入出力制御部２０６から画面「００」をカーソル（位置は５Ａ）とともに表示する旨の信号を受信したディスプレイ２１１ｂはこれを表示する（Ｓ３０５）（図５（ｆ）参照）。図５（ｆ）に例示されるように、ディスプレイ２１１ｂには、図５（ａ）の画面と同じ画面が、図５（ａ）の位置と同じ位置にあるカーソルとともに表示される。
【００４０】
尚、前述したステップＳ１０２がカーソル位置情報記憶ステップに相当する。また、前述したステップＳ３０３及びＳ３０４がカーソル表示ステップに相当する。更に、図５（ａ）に例示された画面（００）を第１の画面とみなせば、図５（ｂ）乃至図５（ｅ）に例示された画面（０１）及び画面（０２）は第２の画面とみなせる。但し、本実施の形態では、第１の画面及び第２の画面は相対的なものであるため、どの画面を第１の画面とみなすかにより第２の画面が相対的に決まり、よって、ステップＳ２０２及びＳ３０２もカーソル位置情報記憶ステップに相当し得る。同様に、ステップＳ１０３、Ｓ１０４、Ｓ２０３、及びＳ２０４もカーソル表示ステップに相当し得る。
【００４１】
本実施の形態では、画面「００」が他の画面へ切り替わった後に元に戻った場合、カーソルの位置（５Ａ）が再現される。より複雑な画面の切り替え操作であっても、前述した図５（ａ）乃至図５（ｆ）に例示される一連の切り替え操作を１つの単位とする複数の切り替え操作の組み合わせであると考えられるため、一般に、全ての画面について当該画面とともに直近の過去に表示されていたカーソルの位置が再現されることになる。また、本実施の形態では、画面の切り替えは、販売条件のデータを入力する場合には短押しするテンキー２１１０を長押しすることにより実行される。
【００４２】
よって、例えばルートマンは、販売条件の多くの項目に関して何かを記憶する必要なく効率良くキーボードを操作することにより画面の切り替えができる。よって、入力ミスや自動販売機の維持管理作業の停滞等が防止される。また、コントロールパネル２１１のキーボード２１１ａの構造も簡素なものでよく、その分カップ式自動販売機の製造コストが安価になる。
【００４３】
＝＝＝その他の実施の形態＝＝＝
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００４４】
前述した実施の形態では、画面を切り替えるためにキーボード２１１ａの所定のキーを長押しする方法が用いられたが、これに限定されるものではない。例えば、切り替える先の画面を特定可能であり且つ販売条件のデータ入力のための押下方法とは異なる方法であれば、いかなる方法であってもよい。例えばテンキー２１１１及び設定／順送りキー２１１２を同時に押下してもよい。或いは、コントロールパネル２１１に画面を切り替える専用のキーを別に設けてもよい。
【００４５】
また、前述した実施の形態では、切り替える先の画面を特定可能となるようにキーを押下するものであったが、これに限定されるものではない。例えば２つの画面が相互に切り替わる場合、一方の画面から他方の画面に切り替えるためのキーは１つでよく、例えば設定／順送りキー２１１２のみであってもよい。この場合、カーソル位置データ２０６０は、直近の過去のカーソル位置のみを記憶していればよい。
【図面の簡単な説明】
【００４６】
【図１】本実施の形態のカップ式自動販売機の外観構成例を示す正面図である。
【図２】本実施の形態の販売機構の概略構成例を示す模式図である。
【図３】本実施の形態のカップ式自動販売機の構成例を示すブロック図である。
【図４】本実施の形態のキーボードの外観構成例を示す模式図である。
【図５】本実施の形態のコントロールパネルのディスプレイに表示される内容の一例と、キーボードの操作手順の一例とを示す模式図である。
【図６】本実施の形態の入力部、表示制御部、及び表示部の動作の手順を示すフローチャートである。
【図７】本実施の形態のカーソル位置データの構成例を示す模式図である。
【符号の説明】
【００４７】
１００  販売機構
２０１  主制御部
２０１ａ、２０５ａ、２０６ａ  ＣＰＵ
２０１ｂ、２０５ｂ、２０６ｂ  ＲＯＭ
２０１ｃ、２０５ｃ、２０６ｃ  ＲＡＭ
２０４  接客制御部
２０５  販売制御部
２０６  入出力制御部
２１１  コントロールパネル
２１１ａ  キーボード
２１１ｂ  ディスプレイ
２１１０  テンキー
２１１１  頁・矢印キー
２１１２  設定／順送りキー
２０６０  カーソル位置データ
【図１】
2006127139.tif 000003
【図２】
2006127139.tif 000004
【図３】
2006127139.tif 000005
【図４】
2006127139.tif 000006
【図５】
2006127139.tif 000007
【図６】
2006127139.tif 000008
【図７】
2006127139.tif 000009